(57)【要約】【課題】植木の剪定によって生じる枝葉などのごみを運ぶためのごみ運搬具において、ごみの運搬量を増やし、ごみの運搬前後の手間を省く。【解決手段】平面状の生地２に２本のスリング３、４が設けられ、各スリング３、４を結ぶ形で一対の外グリップ５、６が取り付けられている。これにより、生地２を二重に折り曲げることにより、ごみを挟み込んで保持した状態で運搬することができる。ごみを運ぶ前に、ごみを詰め込む必要がない。ごみを運んだ後に、生地２を広げることにより、ごみを簡単に素早く払い出すことができる。【選択図】図１
0003108885.tif 000002
【実用新案登録請求の範囲】
【請求項１】
平面状の生地を有し、
前記生地に２本のスリングが設けられ、
前記各スリングを結ぶ形で一対の外グリップが取り付けられていることを特徴とするごみ運搬具。
【請求項２】
前記生地に内グリップが前記外グリップの内側に位置するように取り付けられていることを特徴とする請求項１に記載のごみ運搬具。
【請求項３】
前記内グリップは、複数であることを特徴とする請求項２に記載のごみ運搬具。
【請求項４】
前記外グリップ同士を連結しうる連結部材が取り付けられていることを特徴とする請求項１乃至３のいずれかに記載のごみ運搬具。
【請求項５】
前記外グリップと前記内グリップとを連結しうる連結部材が取り付けられていることを特徴とする請求項２又は３に記載のごみ運搬具。
【請求項６】
前記内グリップ同士を連結しうる連結部材が取り付けられていることを特徴とする請求項３に記載のごみ運搬具。
【考案の詳細な説明】
【技術分野】
【０００１】
本考案は、植木の剪定によって生じる枝葉や、建築・土木現場で発生する端材、端石、砂利などのごみを運ぶためのごみ運搬具に関するものである。
【背景技術】
【０００２】
従来、この種のごみ運搬具としては、ごみ袋やキャリーバッグなどの袋が広く用いられていた。
【考案の開示】
【考案が解決しようとする課題】
【０００３】
しかし、これでは次のような不都合があった。
【０００４】
第１に、袋の容積が決まっているため、ごみの運搬量が限られる。
【０００５】
第２に、ごみを運ぶときに、ごみを袋に詰め込まなければならない。そのためには、枝葉であれば、これを短く切る必要があり、端材などの場合は、これを細かく砕かなければならない。その結果、ごみの運搬前の準備作業に手間取る。
【０００６】
第３に、ごみを運び終えてから取り出すときに、ごみが袋の縁などに引っ掛かって出にくいため、ごみの運搬後の放出作業にも手間取る。
【０００７】
本考案は、こうした不都合を解消することが可能なごみ運搬具を提供することを目的とする。
【課題を解決するための手段】
【０００８】
まず、請求項１に係る考案は、平面状の生地を有し、前記生地に２本のスリングが設けられ、前記各スリングを結ぶ形で一対の外グリップが取り付けられていることを特徴とする。
また、請求項２に係る考案は、前記生地に内グリップが前記外グリップの内側に位置するように取り付けられていることを特徴とする。
また、請求項３に係る考案は、前記内グリップは、複数であることを特徴とする。
また、請求項４に係る考案は、前記外グリップ同士を連結しうる連結部材が取り付けられていることを特徴とする。
また、請求項５に係る考案は、前記外グリップと前記内グリップとを連結しうる連結部材が取り付けられていることを特徴とする。
また、請求項６に係る考案は、前記内グリップ同士を連結しうる連結部材が取り付けられていることを特徴とする。
【考案の効果】
【０００９】
本考案によれば、生地を二重に折り曲げることにより、ごみを挟み込んで保持した状態で運搬することができる。したがって、多量のごみを運ぶことができる。
【００１０】
また、ごみを運ぶ前に、従来の袋と異なり、ごみを詰め込む必要がない。その結果、ごみの運搬前の準備作業に手間がかからない。
【００１１】
さらに、ごみを運んだ後に、生地を広げることにより、ごみを簡単に素早く払い出すことができる。そのため、ごみの運搬後のごみ放出作業にも手間がかからない。
【考案を実施するための最良の形態】
【００１２】
以下、本考案の実施形態を図面に基づいて説明する。
【００１３】
＜第１の実施形態＞
ごみ運搬具１は、図１に示すように、ポリエステル、ナイロンなどの合成樹脂からなる長方形平面状の生地２を有しており、生地２には、その２つの長辺に沿って、ポリエステル、ナイロンなどの合成樹脂からなる２本の帯状のスリング３、４が互いに平行に縫い付けられている。一方のスリング３の一端と他方のスリング４の一端とを結ぶ形で、ポリエステル、ナイロンなどの合成樹脂からなる第１の外グリップ５が、生地２の短辺に沿って一体に取り付けられており、一方のスリング３の他端と他方のスリング４の他端とを結ぶ形で、ポリエステル、ナイロンなどの合成樹脂からコの字状に形成された第２の外グリップ６が、生地２の短辺に沿って一体に取り付けられている。また、生地２には、ポリエステル、ナイロンなどの合成樹脂からコの字状に形成された内グリップ７が、外グリップ６の内側に位置する形で外グリップ６の中央部と平行に取り付けられており、内グリップ７は、その両端部のみが生地２に縫い付けられている。さらに、内グリップ７には、連結部材としてリング状のカラビナ９が着脱自在に取り付けられている。
【００１４】
ごみ運搬具１は以上のような構成を有するので、このごみ運搬具１を用いて枝葉を剪定現場からパッカー車（機械式ごみ収集車）まで運ぶ際には次の手順による。
【００１５】
まず、図１に示すように、ごみ運搬具１の生地２を剪定現場の地面に広げ、この生地２上に枝葉１０を掃き入れる。
【００１６】
次に、図２に示すように、両方の外グリップ５、６を両手で把持して持ち上げる。すると、図３に示すように、生地２は二重に折れ曲がって枝葉１０を挟み込む。このとき、枝葉１０は、生地２から矢印方向の力を受けて中央に結束するため、生地２に確実に保持された状態となる。これで枝葉１０の運搬前の準備作業が終了する。このように、従来の袋と異なり、枝葉１０を詰め込む必要がないので、枝葉１０の運搬前の準備作業に手間がかからない。
【００１７】
この状態で、枝葉１０をパッカー車（図示せず）まで運搬する。このとき、ごみ運搬具１の前後が開放しているので、枝葉１０の運搬量が限られる従来の袋と違って、長いものも含めて多量の枝葉１０を運ぶことができる。また、枝葉１０は生地２に確実に保持されているので、途中で脱落する心配はない。
【００１８】
そして、枝葉１０がパッカー車に到着したところで、外グリップ５、６のいずれかを離す。すると、生地２が広がり、枝葉１０が自重で落下する。したがって、枝葉１０を簡単に素早く払い出すことができ、枝葉１０の運搬後の放出作業に手間がかからない。
【００１９】
その上、ごみ運搬具１は小さく折り畳むことができるので、非使用時に嵩張らず、保管が楽である。また、ごみ運搬具１は構成が簡単であるため、安価に製作することができる。
【００２０】
なお、枝葉１０が少量である場合には、図４に示すように、片方の外グリップ５と内グリップ７とを把持して枝葉１０を運ぶこともできる。このとき、外グリップ５と内グリップ７とをカラビナ９で連結すれば、万が一ごみ運搬具１を運搬中に落としても、枝葉１０がばらけてしまう恐れはない。
【００２１】
逆に、枝葉１０が多量である場合には、図５に示すように、ごみ運搬具１を２つ用意し、両手で１つずつ把持することにより、多量の枝葉１０を一度に運ぶことができる。
【００２２】
＜第２の実施形態＞
ごみ運搬具１は、図６に示すように、生地２の形状を六角形平面状にしたことと、内グリップ７を２つにしたことを除き、上述した第１の実施形態と同様である。
【００２３】
この場合、枝葉１０の量に応じてカラビナ９の連結箇所を適宜変更することにより、枝葉１０の運搬中に枝葉１０を確実に保持することができる。すなわち、枝葉１０が少量である場合は、内グリップ７同士を連結し、枝葉１０が多量である場合は、外グリップ５、６同士を連結し、枝葉１０の量がその中間である場合は、外グリップ５または外グリップ６と内グリップ７とを連結すればよい。
【００２４】
＜その他の実施形態＞
なお、上述の実施形態においては、１つまたは２つの内グリップ７を備えたごみ運搬具１について説明したが、この内グリップ７を省いても構わない。
【００２５】
なお、上述の実施形態においては、連結部材としてカラビナ９を用いる場合について説明したが、カラビナ９以外の連結部材（例えば、ひも等）を代用することも可能である。
【００２６】
なお、上述の実施形態においては、合成樹脂からなる生地２、スリング３、４、外グリップ５、６、内グリップ７について説明したが、これらの材質は合成樹脂に限るわけではなく、例えば綿布などを採用してもよい。
【００２７】
なお、上述の実施形態においては、ごみ運搬具１で枝葉１０を運ぶ場合について説明したが、枝葉１０以外のごみ（例えば、建築・土木現場で発生する端材、端石、砂利など）を運ぶ際に、このごみ運搬具１を用いることも勿論できる。
【図面の簡単な説明】
【００２８】
【図１】本考案に係るごみ運搬具の第１の実施形態を示す正面図である。
【図２】図１に示すごみ運搬具の一使用状態を示す斜視図である。
【図３】図１に示すごみ運搬具の使用時におけるごみの保持状態を示す正面図（上図）および側面図（下図）である。
【図４】図１に示すごみ運搬具の別の使用状態を示す斜視図である。
【図５】図１に示すごみ運搬具のさらに別の使用状態を示す斜視図である。
【図６】本考案に係るごみ運搬具の第２の実施形態を示す正面図である。
【符号の説明】
【００２９】
１……ごみ運搬具
２……生地
３、４……スリング
５、６……外グリップ
７……内グリップ
９……カラビナ（連結部材）
１０……枝葉
【図１】
0003108885.tif 000003
【図２】
0003108885.tif 000004
【図３】
0003108885.tif 000005
【図４】
0003108885.tif 000006
【図５】
0003108885.tif 000007
【図６】
0003108885.tif 000008